(57)【特許請求の範囲】
【請求項１】
再生用媒体に記録されている楽曲を再生する再生手段と、
前記再生手段により再生された楽曲の一部と再生用媒体の管理情報とを関連付けて記憶する記憶手段と、
記録用媒体に楽曲と共に記録するための文字データを作成する文字データ作成手段と、
前記記憶手段に記憶されている楽曲の一部及び管理情報と前記文字データ作成手段により作成された文字データを関連付けて前記記憶手段に記憶させる記憶処理手段と、前記記憶手段に記憶されている楽曲の一部及び／又は管理情報に基づいて前記記憶手段に記憶されている文字データのうちから前記再生手段により再生された楽曲に対応するものを特定する特定処理手段とを備える処理手段と、
記録用媒体に、前記再生手段により再生された楽曲を録音し、前記特定処理手段により特定された文字データを記録する媒体記録手段とを備え、
前記特定処理手段は、
前記再生手段によって再生された楽曲の管理情報と前記記憶手段に記憶されている管理情報とを比較することにより、前記再生手段によって再生された楽曲の管理情報と同一の管理情報が前記記憶手段に記憶されているか否かを判別する管理情報判別手段と、
前記管理情報判別手段によって記憶されていると判別されたときに、当該同一の管理情報と関連付けられて記憶されている文字データを、前記記憶手段から読み出して前記媒体記録手段に送ることにより記録用媒体に記録させる管理情報関連文字データ記録制御手段と、
前記管理情報判別手段によって記憶されていないと判別されたときに、前記再生手段によって再生された楽曲の一部と前記記憶手段に記憶されている楽曲の一部とを比較することにより、前記再生手段によって再生された楽曲の一部が前記記憶手段に記憶されているか否かを判別する楽曲情報判別手段と、
前記楽曲情報判別手段によって記憶されていると判別されたときに、当該楽曲の一部と関連付けられて記憶されている文字データを、前記記憶手段から読み出して前記媒体記録手段に送ることにより記録用媒体に記録させる楽曲情報関連文字データ記録制御手段とを備え、
同一の楽曲を２回目以降に録音するときには、前記文字データ作成手段による文字データの作成を行うことなく、前記記憶手段に記憶されている文字データを記録用媒体に記録することを特徴とする録音再生システム。
【請求項２】
前記特定処理手段は、前記再生手段により再生された楽曲に対応する文字データを前記記憶手段に記憶されている文字データのうちから特定できないと、前記文字データ作成手段に文字データを作成させ、前記媒体記録手段を制御して、前記文字データ作成手段により作成された文字データを記録用媒体に記録させる、
ことを特徴とする請求項１に記載の録音再生システム。
【請求項３】
前記媒体記録手段は、記録用媒体に記録されている楽曲を再生する手段を備え、
前記特定処理手段は、前記媒体記録手段により再生された楽曲の一部と前記記憶手段に記憶されている楽曲の一部とを比較することにより、記録用媒体に記録されている楽曲に対応する文字データを前記記憶手段に記憶されている文字データのうちから特定し、
前記媒体記録手段は、前記特定処理手段により特定された文字データを記録用媒体に記録する、
ことを特徴とする請求項１又は２に記載の録音再生システム。
【請求項４】
前記特定処理手段は、前記媒体記録手段により再生された楽曲に対応する文字データを前記記憶手段に記憶されている文字データのうちから特定できないと、前記文字データ作成手段に文字データを作成させ、前記媒体記録手段を制御して、前記文字データ作成手段により作成された文字データを記録用媒体に記録させる、
ことを特徴とする請求項３に記載の録音再生システム。
【請求項５】
前記媒体記録手段は、記録用媒体に楽曲を録音することができるか否かを判別し、できないと判別すると、楽曲を録音できない旨の警告を表示する手段を備える、
ことを特徴とする請求項１乃至４のいずれか１項に記載の録音再生システム。
【請求項６】
前記再生手段は、再生用媒体に記録された文字データを読み出す手段を備え、
前記文字データ作成手段は、前記再生手段が再生用媒体から読み出した文字データを用いて記録用媒体に記録するための文字データを作成する手段を含む、
ことを特徴とする請求項１乃至５のいずれか１項に記載の録音再生システム。
【請求項７】
再生用媒体に記録されている楽曲を再生する再生ステップと、
前記再生ステップにて再生した楽曲の一部と再生用媒体の管理情報とを関連付けてメモリに記憶する記憶ステップと、
記録用媒体に楽曲と共に記録するための文字データを作成する文字データ作成ステップと、
前記文字データ作成ステップにて作成した文字データをメモリに記憶されている楽曲の一部及び管理情報と関連付けて記憶させる記憶処理ステップと、
メモリに記憶されている楽曲の一部及び／又は管理情報に基づいて当該メモリに記憶されている文字データのうちから前記再生ステップにて再生した楽曲に対応するものを特定する特定処理ステップと、
記録用媒体に、前記再生ステップにて再生した楽曲を録音し、前記特定処理ステップにて特定した文字データを記録する記録処理ステップとを備え、
前記記特定処理ステップは、
前記再生ステップにて再生した楽曲の管理情報とメモリに記憶されている管理情報とを比較することにより、前記再生ステップにて再生した楽曲の管理情報と同一の管理情報が当該メモリに記憶されているか否かを判別する管理情報判別ステップと、
前記管理情報判別ステップにて記憶されていると判別したときに、当該同一の管理情報と関連付けられて記憶されている文字データを、メモリから読み出して前記記録処理ステップにて記録用媒体に記録させる管理情報関連文字データ記録制御ステップと、
前記管理情報判別ステップにて記憶されていないと判別したときに、前記再生ステップにて再生した楽曲の一部とメモリに記憶されている楽曲の一部とを比較することにより、前記再生ステップにて再生した楽曲の一部が当該メモリに記憶されているか否かを判別する楽曲情報判別ステップと、
前記楽曲情報判別ステップにて記憶されていると判別したときに、当該楽曲の一部と関連付けられて記憶されている文字データを、メモリから読み出して前記記録処理ステップにて記録用媒体に記録させる楽曲情報関連文字データ記録制御ステップとを備え、
同一の楽曲を２回目以降に録音するときには、前記文字データ作成ステップにおける文字データの作成を行うことなく、メモリに記憶されている文字データを記録用媒体に記録することを特徴とする録音再生システムの文字記録方法。
【請求項８】
前記再生ステップは、再生用媒体に記録された文字データを読み出すステップを備え、
前記文字データ作成ステップは、前記再生ステップにて再生用媒体から読み出した文字データを用いて記録用媒体に記録するための文字データを作成するステップを含む、
ことを特徴とする請求項７に記載の文字記録方法。
【請求項９】
前記特定処理ステップは、前記再生ステップにて再生した楽曲に対応する文字データをメモリに記憶されている文字データのうちから特定できないと、前記文字データ作成ステップにて作成された文字データを記録用媒体に記録する、
ことを特徴とする請求項７又は８に記載の文字記録方法。
【発明の詳細な説明】
【０００１】
【発明の属する技術分野】
この発明は、記録用媒体に楽曲と共に文字データを記録するための録音再生システム及びその文字記録方法に係り、特に、楽曲を記録するための記録用媒体に文字データを簡単に記録することができる録音再生システム及びその文字記録方法に関する。
【０００２】
【従来の技術】
楽曲を記録可能な記録用媒体として、ＭＤ（Mini Disc）に代表される書換可能型光磁気記録媒体や、ＣＤ−ＲＷ（Compact Disc - ReWritable）に代表される書換可能型光記録媒体、ＣＤ−Ｒ（Compact Disc - Recordable）に代表される追記型光記録媒体等が知られている。また、ＥＥＰＲＯＭ（Electronically Erasable and Programmable Read Only Memory）等を利用した携帯型のフラッシュメモリも楽曲を記録するための記録用媒体として提案されている。
【０００３】
こうした記録用媒体には、楽曲と共に文字データを記録することができ、楽曲を再生する際に、楽曲に関連する情報、例えば、曲名や、演奏者名といった情報をタイトルとして画面に表示させることができる。
【０００４】
このような記録用媒体に楽曲と共に文字データを記録するための録音装置は、ユーザがリモートコントローラや本体パネルに備えられた押しボタンを押下して文字を１つずつ選択することにより、記録用媒体に書き込む文字データを作成する。
【０００５】
例えば、ＭＤ用の録音装置は、こうして作成した文字データを、トラックの開始時間及び終了時間と関連付ける等して、ＭＤのプログラムエリア（楽曲データを記録する領域）の内周に設けられたＵ−ＴＯＣ（User's Table Of Contents）部に書き込む。
これにより、再生時に、ディスクネームやトラックネーム（曲名、演奏者名等）をインデックスタイトルとして表示することができる。
【０００６】
【発明が解決しようとする課題】
上記従来技術では、ユーザが文字データを入力するには、リモートコントローラや本体パネルの押しボタンを押下する等して１文字ずつ選択し、記録用媒体に記録する文字データを作成する必要があり、文字データの入力に手間がかかっていた。
【０００７】
特に、長いタイトルを表示するための文字データを作成する場合や、同じタイトルを複数の楽曲に付加しようとする場合には、単調な入力作業が増大し、非常に面倒で手間がかかっていた。
【０００８】
この発明は、上記実状に鑑みてなされたものであり、楽曲を録音するための記録用媒体に文字データを簡単に記録することができる録音再生システム及びその文字記録方法を提供することを目的とする。
【０００９】
【課題を解決するための手段】
上記目的を達成するべく、この発明の第１の観点に係る録音再生システムは、
再生用媒体に記録されている楽曲を再生する再生手段と、
前記再生手段により再生された楽曲の一部と再生用媒体の管理情報とを関連付けて記憶する記憶手段と、
記録用媒体に楽曲と共に記録するための文字データを作成する文字データ作成手段と、
前記記憶手段に記憶されている楽曲の一部及び管理情報と前記文字データ作成手段により作成された文字データを関連付けて前記記憶手段に記憶させる記憶処理手段と、前記記憶手段に記憶されている楽曲の一部及び／又は管理情報に基づいて前記記憶手段に記憶されている文字データのうちから前記再生手段により再生された楽曲に対応するものを特定する特定処理手段とを備える、例えばＣＰＵ（Central Processing Unit）等から構成される処理手段と、
記録用媒体に、前記再生手段により再生された楽曲を録音し、前記特定処理手段により特定された文字データを記録する媒体記録手段とを備え、
前記特定処理手段は、
前記再生手段によって再生された楽曲の管理情報と前記記憶手段に記憶されている管理情報とを比較することにより、前記再生手段によって再生された楽曲の管理情報と同一の管理情報が前記記憶手段に記憶されているか否かを判別する管理情報判別手段と、
前記管理情報判別手段によって記憶されていると判別されたときに、当該同一の管理情報と関連付けられて記憶されている文字データを、前記記憶手段から読み出して前記媒体記録手段に送ることにより記録用媒体に記録させる管理情報関連文字データ記録制御手段と、
前記管理情報判別手段によって記憶されていないと判別されたときに、前記再生手段によって再生された楽曲の一部と前記記憶手段に記憶されている楽曲の一部とを比較することにより、前記再生手段によって再生された楽曲の一部が前記記憶手段に記憶されているか否かを判別する楽曲情報判別手段と、
前記楽曲情報判別手段によって記憶されていると判別されたときに、当該楽曲の一部と関連付けられて記憶されている文字データを、前記記憶手段から読み出して前記媒体記録手段に送ることにより記録用媒体に記録させる楽曲情報関連文字データ記録制御手段とを備え、
同一の楽曲を２回目以降に録音するときには、前記文字データ作成手段による文字データの作成を行うことなく、前記記憶手段に記憶されている文字データを記録用媒体に記録することを特徴とする。
【００１０】
この発明によれば、文字データ作成手段により作成された文字データを記憶手段に記憶しておき、再生手段により再生された楽曲に対応する文字データを特定して、記録用媒体に記録することが可能である。
これにより、一旦作成した文字データを再利用して記録用媒体に簡単に文字データを記録することができる。
【００１３】
前記特定処理手段は、前記再生手段により再生された楽曲に対応する文字データを前記記憶手段に記憶されている文字データのうちから特定できないと、前記文字データ作成手段に文字データを作成させ、前記媒体記録手段を制御して、前記文字データ作成手段により作成された文字データを記録用媒体に記録させることが望ましい。
【００１４】
また、前記媒体記録手段は、記録用媒体に記録されている楽曲を再生する手段を備え、
前記特定処理手段は、前記媒体記録手段により再生された楽曲の一部と前記記憶手段に記憶されている楽曲の一部とを比較することにより、記録用媒体に記録されている楽曲に対応する文字データを前記記憶手段に記憶されている文字データのうちから特定し、
前記媒体記録手段は、前記特定処理手段により特定された文字データを記録用媒体に記録してもよい。
これにより、楽曲が既に記録されている記録用媒体にも、簡単に文字データを記録することができる。
【００１５】
この場合、前記特定処理手段は、前記媒体記録手段により再生された楽曲に対応する文字データを前記記憶手段に記憶されている文字データのうちから特定できないと、前記文字データ作成手段に文字データを作成させ、前記媒体記録手段を制御して、前記文字データ作成手段により作成された文字データを記録用媒体に記録させることが望ましい。
【００１６】
また、前記媒体記録手段は、記録用媒体に楽曲を録音することができるか否かを判別し、できないと判別すると、楽曲を録音できない旨の警告を表示する手段を備えてもよい。
【００１７】
前記再生手段は、再生用媒体に記録された文字データを読み出す手段を備え、
前記文字データ作成手段は、前記再生手段が再生用媒体から読み出した文字データを用いて記録用媒体に記録するための文字データを作成する手段を含んでいてもよい。
【００１８】
また、この発明の第２の観点に係る録音再生システムの文字記録方法は、
再生用媒体に記録されている楽曲を再生する再生ステップと、
前記再生ステップにて再生した楽曲の一部と再生用媒体の管理情報とを関連付けてメモリに記憶する記憶ステップと、
記録用媒体に楽曲と共に記録するための文字データを作成する文字データ作成ステップと、
前記文字データ作成ステップにて作成した文字データをメモリに記憶されている楽曲の一部及び管理情報と関連付けて記憶させる記憶処理ステップと、
メモリに記憶されている楽曲の一部及び／又は管理情報に基づいて当該メモリに記憶されている文字データのうちから前記再生ステップにて再生した楽曲に対応するものを特定する特定処理ステップと、
記録用媒体に、前記再生ステップにて再生した楽曲を録音し、前記特定処理ステップにて特定した文字データを記録する記録処理ステップとを備え、
前記特定処理ステップは、
前記再生ステップにて再生した楽曲の管理情報とメモリに記憶されている管理情報とを比較することにより、前記再生ステップにて再生した楽曲の管理情報と同一の管理情報が当該メモリに記憶されているか否かを判別する管理情報判別ステップと、
前記管理情報判別ステップにて記憶されていると判別したときに、当該同一の管理情報と関連付けられて記憶されている文字データを、メモリから読み出して前記記録処理ステップにて記録用媒体に記録させる管理情報関連文字データ記録制御ステップと、
前記管理情報判別ステップにて記憶されていないと判別したときに、前記再生ステップにて再生した楽曲の一部とメモリに記憶されている楽曲の一部とを比較することにより、前記再生ステップにて再生した楽曲の一部が当該メモリに記憶されているか否かを判別する楽曲情報判別ステップと、
前記楽曲情報判別ステップにて記憶されていると判別したときに、当該楽曲の一部と関連付けられて記憶されている文字データを、メモリから読み出して前記記録処理ステップにて記録用媒体に記録させる楽曲情報関連文字データ記録制御ステップとを備え、
同一の楽曲を２回目以降に録音するときには、前記文字データ作成ステップにおける文字データの作成を行うことなく、メモリに記憶されている文字データを記録用媒体に記録することを特徴とする。
【００１９】
この発明によれば、文字データ作成ステップにて作成した文字データを記憶ステップにてメモリに記憶しておき、再生ステップにて再生した楽曲に対応する文字データを特定して記録用媒体に記録することが可能である。
これにより、一旦作成した文字データを再利用して記録用媒体に簡単に文字データを記録することができる。
【００２２】
また、前記再生ステップは、再生用媒体に記録された文字データを読み出すステップを備え、
前記文字データ作成ステップは、前記再生ステップにて再生用媒体から読み出した文字データを用いて記録用媒体に記録するための文字データを作成するステップを含んでいてもよい。
【００２３】
さらに、前記特定処理ステップは、前記再生ステップにて再生した楽曲に対応する文字データをメモリに記憶されている文字データのうちから特定できないと、前記文字データ作成ステップにて作成した文字データを記録用媒体に記録することが望ましい。
【００２４】
【発明の実施の形態】
以下に、図面を参照して、この発明の実施の形態に係る録音再生システムについて詳細に説明する。
【００２５】
図１は、この発明の実施の形態に係る録音再生システムの構成を示す図である。
図示するように、この録音再生システムは、再生装置１と、録音装置２とがケーブル３により相互に接続されて構成される。
【００２６】
再生装置１は、例えば、ＣＤ（Compact Disc）プレーヤといった、再生用媒体ＰＭから楽曲及び楽曲と共に記録された文字データを再生するためのものであり、再生処理部１０と、音声信号出力部１１と、ＣＰＵ（Central Processing Unit）１２と、入力部１３と、表示部１４と、コネクタ１５とを備えている。
【００２７】
再生処理部１０は、光ピックアップ、デコーダ等から構成され、ＣＤ、ＭＤ（Mini Disc）、ＤＶＤ（Digital Video Disc）、携帯型フラッシュメモリ等の再生用媒体ＰＭに記録された楽曲や文字データを再生するためのものである。
なお、再生用媒体ＰＭには、１曲以上の楽曲が記録されている。また、再生用媒体ＰＭには、楽曲と共に文字データが記録されているものがあり、再生処理部１０は、このような再生用媒体ＰＭからの文字データの読み出しも可能である。
【００２８】
音声信号出力部１１は、スピーカ、ヘッドホン等から構成され、再生処理部１０が再生した楽曲に応じた音声信号を出力するためのものである。
【００２９】
ＣＰＵ１２は、この再生装置１全体の動作を制御するためのものであり、入力部１３からの指示に応じて再生処理部１０に再生用媒体ＰＭから楽曲を再生させたり、再生処理部１０が再生用媒体ＰＭから読み出した文字データを表示部１４に表示させたりする。
【００３０】
入力部１３は、キーパッド、リモートコントローラ等から構成される、この再生装置１への指示入力部である。
【００３１】
表示部１４は、ＬＣＤ（Liquid Crystal Display）等から構成され、ＣＰＵ１２の制御により、再生処理部１０が再生用媒体ＰＭから読み出した文字データや、再生時間、トラックNo.等の再生情報を表示するためのものである。
なお、トラックNo.（トラック番号）は、再生用媒体ＰＭに記録されている楽曲１曲毎に付された、楽曲を識別するための番号である。
【００３２】
コネクタ１５は、例えば、ディジタル光ケーブル、ディジタル同軸ケーブルといったケーブル３により録音装置２と接続し、再生処理部１０が再生用媒体ＰＭから再生した楽曲や文字データ及び再生時間等の管理情報をケーブル３を介して録音装置２に伝送するためのものである。
【００３３】
録音装置２は、例えば、ＭＤレコーダ、ＣＤ−Ｒ（Compact Disc - Recordable）ライタといった、記録用媒体ＲＭに楽曲を記録するためのものであり、記録処理部２０と、ＣＰＵ２１と、入力部２２と、表示部２３と、メモリ２４と、コネクタ２５とを備えている。
【００３４】
記録処理部２０は、光学ヘッド、磁気ヘッド、エンコーダ等から構成され、ＭＤ、ＣＤ−Ｒ、ＣＤ−ＲＷ（Compact Disc - ReWritable）、携帯型フラッシュメモリ等の記録用媒体ＲＭに楽曲や文字データを記録するためのものである。
【００３５】
ＣＰＵ２１は、この録音装置２全体の動作を制御するためのものであり、入力部２２からの指示に応じて、記録処理部２０に記録用媒体ＲＭへの楽曲及び文字データの記録を開始させたり、入力部２２から入力された文字データを表示部２３に表示させたりする。
また、ＣＰＵ２１は、コネクタ２５を介して再生装置１から受けた楽曲の一部や、再生用媒体ＰＭの管理情報、及び再生用媒体ＰＭから読み出された文字データ又は入力部２２から入力された文字データをメモリ２４に記録する。
なお、再生用媒体ＰＭの管理情報は、例えば、再生用媒体ＰＭが再生装置１にセットされた際に読み出され、再生用媒体ＰＭに記録されている各楽曲のトラックNo.や、各楽曲の開始時間、終了時間等を示す、いわゆるＴＯＣ（Table Of Contents）情報である。
【００３６】
入力部２２は、キーパッド、リモートコントローラ等から構成される、この録音装置２への指示入力部である。
【００３７】
表示部２３は、ＬＣＤ等から構成され、ＣＰＵ２１の制御により、入力部２２から入力された文字データ等を表示するためのものである。
【００３８】
メモリ２４は、ＥＥＰＲＯＭ（Electronically Erasable and Programmable Read Only Memory）等から構成される不揮発性のメモリであり、再生装置１から送られた楽曲の一部や、再生用媒体ＰＭの管理情報、再生用媒体ＰＭから読み出された文字データ、或いは入力部２２から入力された文字データ等を記録する。
この際、メモリ２４は、再生用媒体ＰＭの管理情報と、再生装置１から送られた楽曲の一部と、再生装置１が再生用媒体ＰＭから読み出した文字データ又は入力部２２から入力された文字データとを関連付けて記録する。
【００３９】
また、メモリ２４は、録音装置２が記録用媒体ＲＭに文字データを記録する際の動作モード（インプットモード）を示すインプットモードフラグＦを備えている。インプットモードフラグＦが示す動作モード（インプットモード）としては、メモリ２４に記録された文字データを利用するモードである「自動」と、再生用媒体ＰＭから読み出した文字データや入力部２２により入力された文字データを利用するモードである「手動」とがある。
【００４０】
コネクタ２５は、例えば、ディジタル光ケーブル、ディジタル同軸ケーブルといったケーブル３により再生装置１と接続し、記録処理部２０が記録用媒体ＲＭに録音する楽曲や記録用媒体ＲＭに記録する文字データ及び再生時間等の管理情報をケーブル３を介して再生装置１から受信するためのものである。
【００４１】
以下に、この発明の実施の形態に係る録音再生システムの動作を説明する。
この録音再生システムは、一旦入力された文字データを再利用可能に記録して保持おくことにより、楽曲を録音するための記録用媒体に簡単に文字データを記録することを可能とするシステムである。
【００４２】
この録音再生システムは、再生装置１により再生した楽曲を録音装置２により記録用媒体ＲＭに記録する際に、図２のフローチャートに示す録音再生処理を実行する。
なお、録音装置２において、初めて楽曲を録音する際には、インプットモードフラグＦは、インプットモードとして「手動」を示している。
【００４３】
録音再生処理を開始すると、ユーザは、再生装置１の再生処理部１０が再生用媒体ＰＭから楽曲を再生可能とするように、再生装置１が備えるスロット、マガジン、トレー等の再生用媒体ＰＭを保持するための機構（図示せず）に楽曲が記録された再生用媒体ＰＭをセットする（ステップＳ１）。また、ユーザは、録音装置２の記録処理部２０が記録用媒体ＲＭに楽曲を記録可能とするように、録音装置２が備えるスロット、マガジン、トレー等の記録用媒体ＲＭを保持するための機構（図示せず）に楽曲を記録する記録用媒体ＲＭをセットする（ステップＳ２）。
【００４４】
ユーザは、再生装置１と録音装置２とをディジタル光ケーブル、ディジタル同軸ケーブルといったケーブル３により接続する（ステップＳ３）。すなわち、ユーザは、再生装置１のコネクタ１５と録音装置２のコネクタ２５にケーブル３の挿入端子を挿入する等して、再生装置１と録音装置２とを接続する。
【００４５】
この後、ユーザは、再生装置１の入力部１３及び／又は録音装置２の入力部２２を操作して、再生装置１に再生用媒体ＰＭから楽曲を再生させ、録音装置２に再生装置１が再生した楽曲を記録用媒体ＲＭに記録するよう指示する。
【００４６】
例えば、ユーザが録音装置２の入力部２２に備えられた録音ボタン（図示せず）を押下すると、ＣＰＵ２１は、記録処理部２０を制御して、記録用媒体ＲＭにおいて録音開始位置となる書込位置に書込機構（例えば、光ピックアップ、磁気ヘッド等）を移動させ、再生装置１にて再生用媒体ＰＭの再生が開始されるまで一時停止状態となる。そして、ユーザが再生装置１の入力部１３に備えられた再生ボタン（図示せず）を押下すると、ＣＰＵ１２は、再生処理部１０を制御して、再生用媒体ＰＭから楽曲を再生させ、コネクタ１５を介して録音装置２に送信する。録音装置２は、このようにして再生装置１から送られた楽曲を順次記録用媒体ＲＭに記録する。
【００４７】
この際、ＣＰＵ２１は、ユーザが録音装置２の入力部２２に備えられた録音ボタン（図示せず）を押下すると、記録処理部２０を制御して、記録用媒体ＲＭについて、書込が保護されている状況を確認する（ステップＳ４）。すなわち、ＣＰＵ２１は、例えば、記録用媒体ＲＭの書込保護用のタブが書込禁止側にスライドされているか書込許可側にスライドされているかを確認したり、追記書込可能な残容量を確認したりすることで、記録用媒体ＲＭが書込可能であるか否かを判別する（ステップＳ５）。
【００４８】
ＣＰＵ２１は、記録用媒体ＲＭが書込不可能であると判別すると（ステップＳ５にてＮＯ）、表示部１４に「Ｐｒｏｔｅｃｔｅｄ」又は「Ｕｎｒｅｃｏｒｄａｂｌｅ」といった警告を表示して録音できない旨をユーザに通知する等の処理を実行して、録音再生処理を終了する(ステップＳ６）。
【００４９】
一方、ＣＰＵ２１は、記録用媒体ＲＭが書込可能であると判別すると（ステップＳ５にてＹＥＳ）、録音の準備を行い、入力部１３及び／又は入力部２２からの指示に応じて、再生用媒体ＰＭから楽曲を再生して記録用媒体ＲＭに録音させる（ステップＳ７）。
【００５０】
この際、録音装置２において、ＣＰＵ２１は、再生装置１から受けた各楽曲の一部、例えば、各楽曲のうち最初の数秒間分の楽曲データであるイントロ情報と、再生用媒体ＰＭの管理情報をメモリ２４に記録する（ステップＳ８）。
ここで、ＣＰＵ２１は、各楽曲のイントロ情報と管理情報とを相互に関連付けてメモリ２４に記録する。
【００５１】
この後、ユーザは、入力部２２を操作して記録用媒体ＲＭに文字データを記録するよう指示する。
【００５２】
ＣＰＵ２１は、入力部２２から文字データを記録する旨の指示を受けると、インプットモードフラグＦを読み取って、記録用媒体ＲＭに文字データを記録する際の動作を規定するインプットモードを確認する（ステップＳ９）。そして、ＣＰＵ２１は、インプットモードが「自動」であるか、「手動」であるかを判別する（ステップＳ１０）。
【００５３】
ＣＰＵ２１は、インプットモードが「手動」であると判別すると（ステップＳ１０にて手動）、図３のフローチャートに示す手動文字データ記録処理を実行する（ステップＳ１１）。
【００５４】
手動文字データ記録処理を開始すると、ＣＰＵ２１は、表示部２３に記録用媒体ＲＭに記録するための文字データを作成するための文字コードを、ユーザが入力部２２を用いて選択可能となるように表示させ、入力部２２からの指示に応じて、順次文字データを作成する（ステップＳ２０）。
なお、この際、再生装置１から録音装置２に、ディジタルインタフェースによるサブコードを付加したディジタル信号を送信することにより再生処理部１０が再生用媒体ＰＭから再生した文字データを録音装置２に送り、文字データを作成するようにしてもよい。
【００５５】
ＣＰＵ２１は、文字データの作成が終了し、ユーザが入力部２２から記録用媒体ＲＭへの書き込みを指示すると（ステップＳ２１）、記録処理部２０を制御して、作成した文字データを、記録用媒体ＲＭに記録させる。記録処理部２０は、ＣＰＵ２１の制御により、例えば、記録用媒体ＲＭのリードイン領域にＱチャンネルサブコードとした文字データを書き込んだり、Ｕ−ＴＯＣ（User's Tabel Of Contents）部といった文字データ記録用の領域に文字データを書き込むことで、記録用媒体ＲＭに文字データを記録する（ステップＳ２２）。
【００５６】
この際、ＣＰＵ２１は、記録用媒体ＲＭに記録する文字データを、各楽曲に対応させて、メモリ２４に記録する。すなわち、ＣＰＵ２１は、メモリ２４に記録された各楽曲のイントロ情報と管理情報に関連付けて文字データを記録する（ステップＳ２３）。
このようにして、ＣＰＵ２１は、録音装置２において記録用媒体ＲＭに記録するために作成された文字データをメモリ２４に格納し、２回目以降の録音の際に再利用することを可能とする。
【００５７】
そして、ＣＰＵ２１は、インプットモードフラグＦを更新して、インプットモードを「自動」とし、手動文字データ記録処理を終了すると共に図２の録音再生処理も終了する（ステップＳ２４）。
これにより、２回目以降、この録音装置２により記録用媒体ＲＭに文字データを記録する際には、メモリ２４に記録されている文字データを利用して、記録用媒体ＲＭに文字データを自動的に記録することができる。
【００５８】
すなわち、ＣＰＵ２１は、上記ステップＳ１０にて、インプットモードが「自動」であると判別すると（ステップＳ１０にて自動）、図４のフローチャートに示す自動文字データ記録処理を実行する（ステップＳ１２）。
【００５９】
自動文字データ記録処理を開始すると、ＣＰＵ２１は、メモリ２４にアクセスして、メモリ２４に管理情報が記録されているか確認し（ステップＳ３０）、メモリ２４に管理情報が記録されているか否かを判別する（ステップＳ３１）。
【００６０】
ＣＰＵ２１は、メモリ２４に管理情報が記録されていないと判別すると（ステップＳ３１にてＮＯ）、上記した手動文字データ記録処理を実行し（ステップＳ３２）、自動文字データ記録処理を終了する。自動文字データ記録処理が終了するのに伴って、図２の録音再生処理も終了する。
【００６１】
一方、ＣＰＵ２１は、メモリ２４に管理情報が記録されていると判別すると（ステップＳ３１にてＹＥＳ）、図５のフローチャートに示す管理情報比較処理を実行する（ステップＳ３３）。
【００６２】
管理情報比較処理を開始すると、ＣＰＵ２１は、メモリ２４に記録されている管理情報の数を特定し、これを変数ｎとして設定する（ステップＳ５０）。
【００６３】
そして、ＣＰＵ２１は、メモリ２４に記録されている管理情報を１つずつ読み出して、再生装置１から送られた再生用媒体ＰＭの管理情報と比較し（ステップＳ５１）、メモリ２４から読み出した管理情報と再生用媒体ＰＭの管理情報が一致するか否かを判別する（ステップＳ５２）。
【００６４】
ＣＰＵ２１は、メモリ２４から読み出した管理情報と再生用媒体ＰＭの管理情報が一致すると判別すると（ステップＳ５２にてＹＥＳ）、同一の管理情報であるとして（ステップＳ５３）、変数ｎを０とし（ステップＳ５４）、処理をステップＳ５７に進める。
【００６５】
一方、ＣＰＵ２１は、メモリ２４から読み出した管理情報と再生用媒体ＰＭの管理情報が一致しないと判別すると（ステップＳ５２にてＮＯ）、異なる管理情報であるとして（ステップＳ５５）、変数ｎを１だけデクリメントする（ステップＳ５６）。
【００６６】
ＣＰＵ２１は、変数ｎが０であるか否かを判別し（ステップＳ５７）、０でないと判別すると（ステップＳ５７にてＮＯ）、処理をステップＳ５１にリターンして、管理情報の比較を継続する。
【００６７】
一方、ＣＰＵ２１は、変数ｎが０であると判別すると（ステップＳ５７にてＹＥＳ）、管理情報比較処理を終了して、処理を図４のステップＳ３４に進める。
【００６８】
図４の自動文字データ記録処理に戻って、ＣＰＵ２１は、上記管理情報比較処理を実行した結果により、メモリ２４に再生用媒体ＰＭと同一の管理情報が記録されているか否かを判別する（ステップＳ３４）。
【００６９】
ＣＰＵ２１は、メモリ２４に再生用媒体ＰＭと同一の管理情報が記録されていると判別すると（ステップＳ３４にてＹＥＳ）、記録用媒体ＲＭに文字データを記録するための処理を実行する（ステップＳ３５）。すなわち、ＣＰＵ２１は、再生用媒体ＰＭと同一の管理情報と関連付けてメモリ２４に記録されている文字データを読み出して記録処理部２０に送り、記録用媒体ＲＭに書き込ませる。記録処理部２０は、ＣＰＵ２１の制御により、ＣＰＵ２１から受けた文字データを記録用媒体ＲＭに記録する。この際、記録処理部２０は、例えば、記録用媒体ＲＭのリードイン領域にＱチャンネルサブコードとした文字データを書き込んだり、Ｕ−ＴＯＣ部といった文字データ記録用の領域に文字データを書き込むことで、記録用媒体ＲＭに文字データを記録する。
これにより、メモリ２４に記録された文字データを利用して、記録用媒体ＲＭに文字データを自動的に記録することができる。
この後、ＣＰＵ２１は、自動文字データ記録処理を終了すると共に図２の録音再生処理も終了する。
【００７０】
一方、ＣＰＵ２１は、上記ステップＳ３４にて、メモリ２４に再生用媒体ＰＭと同一の管理情報が記録されていないと判別すると（ステップＳ３４にてＮＯ）、図６のフローチャートに示すイントロ情報比較処理を実行する（ステップＳ３６）。
【００７１】
イントロ情報比較処理を開始すると、ＣＰＵ２１は、メモリ２４に記録されているイントロ情報の数を特定し、これを変数ｎとして設定する（ステップＳ６０）。
【００７２】
そして、ＣＰＵ２１は、メモリ２４に記録されているイントロ情報を１つずつ読み出して、再生装置１が再生用媒体ＰＭから再生した楽曲と比較し（ステップＳ６１）、メモリ２４から読み出したイントロ情報と再生用媒体ＰＭから再生した楽曲のイントロ部とが一致するか否かを判別する（ステップＳ６２）。
【００７３】
ＣＰＵ２１は、メモリ２４から読み出したイントロ情報と再生用媒体ＰＭから再生した楽曲のイントロ部とが一致すると判別すると（ステップＳ６２にてＹＥＳ)、同一のイントロ情報であるとして（ステップＳ６３）、変数ｎを０とし（ステップＳ６４）、処理をステップＳ６７に進める。
【００７４】
一方、ＣＰＵ２１は、メモリ２４から読み出したイントロ情報と再生用媒体ＰＭから再生した楽曲のイントロ部が一致しないと判別すると（ステップＳ６２にてＮＯ）、異なるイントロ情報であるとして（ステップＳ６５）、変数ｎを１だけデクリメントする（ステップＳ６６）。
【００７５】
ＣＰＵ２１は、変数ｎが０であるか否かを判別し（ステップＳ６７）、０でないと判別すると（ステップＳ６７にてＮＯ）、処理をステップＳ６１にリターンして、イントロ情報の比較を継続する。
一方、ＣＰＵ２１は、変数ｎが０であると判別すると（ステップＳ６７にてＹＥＳ）、イントロ情報比較処理を終了して、処理を図４のステップＳ３７に進める。
【００７６】
図４の自動文字データ記録処理に戻って、ＣＰＵ２１は、上記イントロ情報比較処理を実行した結果により、再生用媒体ＰＭに記録されている楽曲のイントロ部に相当するイントロ情報がメモリ２４に記録されているか否かを判別する（ステップＳ３７）。
【００７７】
ＣＰＵ２１は、再生用媒体ＰＭに記録されている楽曲のイントロ部に相当するイントロ情報がメモリ２４に記録されていないと判別すると（ステップＳ３７にてＮＯ）、上記した手動文字データ記録処理を実行し（ステップＳ３２）、自動文字データ記録処理を終了する。自動文字データ記録処理が終了するのに伴って、図２の録音再生処理も終了する。
【００７８】
一方、ＣＰＵ２１は、再生用媒体ＰＭに記録されている楽曲のイントロ部に相当するイントロ情報がメモリ２４に記録されていると判別すると（ステップＳ３７にてＹＥＳ）、記録用媒体ＲＭに文字データを記録するための処理を実行する（ステップＳ３５）。すなわち、ＣＰＵ２１は、再生用媒体ＰＭに記録されている楽曲のイントロ部に相当するイントロ情報と関連付けてメモリ２４に記録されている文字データを読み出して記録処理部２０に送り、記録用媒体ＲＭに書き込ませる。記録処理部２０は、ＣＰＵ２１の制御により、ＣＰＵ２１から受けた文字データを記録用媒体ＲＭに記録する。この後、ＣＰＵ２１は、自動文字データ記録処理を終了すると共に図２の録音再生処理も終了する。
【００７９】
このように、録音装置２が記録用媒体ＲＭに録音した楽曲に対応する文字データは、イントロ情報と関連付けてメモリ２４に記録されている。そして、２回目以降の録音の際、どのような再生用媒体ＰＭから楽曲を再生した場合であっても、同じ楽曲であれば、そのイントロ部とメモリ２４に記録されたイントロ情報とが一致する。従って、ＣＰＵ２１は、メモリ２４からこの文字データを読み出して自動的に記録用媒体ＲＭに記録することができ、文字データを簡単に記録することができる。
【００８０】
以上説明したように、この発明によれば、録音装置２において、ＣＰＵ２１は、一旦記録用媒体ＲＭに記録した楽曲に対応する文字データを、再生用媒体ＰＭの管理情報や、各楽曲のイントロ情報と関連付けてメモリ２４に記録する。そして、同じ楽曲を２回目以降に記録用媒体ＲＭに録音する際には、メモリ２４に記録された文字データを自動的に読み出して、記録用媒体２４に記録することができる。この際、ＣＰＵ２１は、メモリ２４に記録された管理情報を再生用媒体ＰＭの管理情報と比較するほか、再生用媒体ＰＭから再生された楽曲のイントロ部を、メモリ２４に記録されたイントロ情報と比較するので、異なる再生用媒体ＰＭから同一の楽曲を再生する場合であっても、記録用媒体ＲＭに記録する文字データを適切に特定することができる。
これにより、記録用媒体ＲＭに記録する文字データを簡単に入力することができる。
【００８１】
この発明は、上記実施の形態に限定されず、様々な変形及び応用が可能である。
例えば、上記実施の形態では、ユーザは、記録用媒体ＲＭに楽曲を記録した後、入力部２２を操作して記録用媒体ＲＭに文字データを記録するよう指示することにより、文字データを記録するものとして説明したが、これに限定されない。すなわち、他の録音装置により楽曲が録音された記録用媒体ＲＭを録音装置２にセットした後、入力部２２を操作して記録用媒体ＲＭに文字データを記録するよう指示しても、同じように文字データを記録用媒体ＲＭに記録させることができる。
【００８２】
また、上記実施の形態のイントロ情報比較処理においては、メモリ２４から読み出したイントロ情報と再生用媒体ＰＭから再生した楽曲とを比較して一致するか否かを判別するものとして説明したが、これに限定されない。例えば、記録用媒体ＲＭから楽曲を再生してメモリ２４から読み出したイントロ情報と比較し、互いに一致するか否かを判別するようにしてもよい。
【００８３】
さらに、イントロ情報は、各楽曲を識別できるような楽曲の部位であればどの部位であってもよく、楽曲のイントロ部分に限定されるものではない。
【００８４】
【発明の効果】
以上の説明のように、この発明は、一旦入力した文字データを再利用可能に記録して保持しておくことにより、楽曲を録音するための記録用媒体に簡単に文字データを記録することができる。
【図面の簡単な説明】
【図１】この発明の実施の形態に係る録音再生システムの構成を示す図である。
【図２】録音再生処理を説明するためのフローチャートである。
【図３】手動文字データ記録処理を説明するためのフローチャートである。
【図４】自動文字データ記録処理を説明するためのフローチャートである。
【図５】管理情報比較処理を説明するためのフローチャートである。
【図６】イントロ情報比較処理を説明するためのフローチャートである。
【符号の説明】
１    再生装置
２    録音装置
３    ケーブル
１０    再生処理部
１１    音声信号出力部
１２，２１    ＣＰＵ
１３，２２    入力部
１４，２３    表示部
１５，２５    コネクタ
２０    記録処理部
２４    メモリ
Ｆ    モードフラグ
ＰＭ    再生用媒体
ＲＭ    記録用媒体
【図１】
0003682187.tif 000002
【図２】
0003682187.tif 000003
【図３】
0003682187.tif 000004
【図４】
0003682187.tif 000005
【図５】
0003682187.tif 000006
【図６】
0003682187.tif 000007